(57)【要約】【課題】ディジタルＴＶ放送信号受信装置に接続されている多指向性アンテナが、モータで回転するモータ式アンテナであるか、電子スイッチで受信方向制御する電子式アンテナであるかを自動判別することにより、アンテナ方向切換え時間を最適に行い、迅速なアンテナの方向制御による受信方向決定により、選局時間を短縮する。【解決手段】多指向性アンテナの方向切り換えの時間間隔Ｔをモータ式アンテナの時間間隔に設定し（Ｓ２）、この時間間隔に基づく制御信号でアンテナ方向を制御し（Ｓ４）、全方向に亘って受信し（Ｓ５）、各受信信号強度を測定、記憶した後（Ｓ６）、方向切り換えの時間間隔を電子式アンテナの時間間隔に変更し（Ｓ９）、同様の測定、記憶を行い（Ｓ１３）、同一方向での二つのデータを比較することにより（Ｓ１６）、両者のデータが略一致する場合を電子式アンテナと自動判別する（Ｓ１７）。【選択図】図５
2006081098.tif 000002
【特許請求の範囲】
【請求項１】
予め規格で定められている複数の受信方向を有する多指向性アンテナが接続されて、前記受信方向のうちいずれか１つの受信方向のみを有効にして、テレビジョン放送信号を受信するディジタルテレビジョン放送信号受信装置において、
前記多指向性アンテナに対して、テレビジョン放送信号を受信するための受信方向を指示するための制御信号を出力する制御信号出力手段と、
前記多指向性アンテナが接続され、テレビジョン放送信号の受信を行う放送信号受信手段と、
前記テレビジョン放送信号受信手段により受信されたテレビジョン放送信号に対して所定の信号処理を行う放送信号処理手段と、
前記放送信号処理手段により処理された信号をモニタ装置に出力する信号出力手段と、
前記放送信号処理手段により処理された信号を一時的に記憶する記憶手段と、
前記記憶手段に記憶された信号を用いて、受信可能な各チャンネルについての最適な受信方向を決定する受信方向決定手段と、
前記記憶手段に記憶された信号を用いて、前記多指向アンテナの種類を判別するアンテナ判別手段と、
前記各部を制御する制御手段とを備え、
前記多指向性アンテナとして、モータで受信方向を回転させるモータ式アンテナ、または電子的なスイッチにより受信方向を切り替える電子式アンテナが接続され、
前記制御信号出力手段は、モータ式アンテナにおいて正常に受信方向が切り替わるに必要な切替時間間隔でもって、前記多指向性アンテナの指向方向を全方向に回転動作させる第１の制御信号を出力し、次いで、電子式アンテナにおいて正常に受信方向が切替わるに必要な、上記モータ式アンテナの場合より短い切替時間間隔でもって、前記多指向性アンテナの指向方向を全方向に回転動作させる第２の制御信号を出力し、
前記放送信号処理手段は、前記第１及び第２の制御信号により多指向性アンテナを駆動した時に、それぞれ所定のチャンネルのテレビジョン放送信号の各受信方向の受信信号強度を測定し、これら２種の測定した受信信号強度を前記記憶手段に記憶させ、
前記アンテナ判別手段は、前記記憶手段に記憶されている上記２種の各受信信号強度を比較し、各受信信号強度が略一致している場合は、接続されている多指向性アンテナが電子式アンテナであると自動判別し、一致していない場合は同多指向性アンテナがモータ式アンテナであると自動判別することを特徴とするディジタルテレビジョン放送信号受信装置。
【請求項２】
予め規格で定められている複数の受信方向を有する多指向性アンテナが接続されて、前記受信方向のうちいずれか１つの受信方向のみを有効にして、テレビジョン放送信号を受信するディジタルテレビジョン放送信号受信装置において、
前記多指向性アンテナに対して、テレビジョン放送信号を受信するための受信方向を指示するための制御信号を出力する制御信号出力手段と、
前記多指向性アンテナが接続され、テレビジョン放送信号の受信を行う放送信号受信手段と、
前記テレビジョン放送信号受信手段により受信されたテレビジョン放送信号に対して所定の信号処理を行う放送信号処理手段とを備え、
前記制御信号出力手段は、所定の時間間隔でもって前記多指向性アンテナの受信方向を切り替える制御信号を出力し、
前記放送信号受信手段は、その時の受信信号強度を測定し、
前記放送信号処理手段は、前記受信信号強度の変化状態に基いて、多指向性アンテナの種類を判別することを特徴とするディジタルテレビジョン放送信号受信装置。
【請求項３】
前記制御信号出力手段は、異なる時間間隔で前記多指向性アンテナの受信方向を切り替える複数の制御信号を出力し、
前記放送信号受信手段は、前記複数の制御信号により多指向性アンテナを駆動した時に、それぞれ所定のチャンネルのテレビジョン放送信号の各受信方向の受信信号強度を測定し、
前記放送信号処理手段は、上記複数の測定した受信信号強度に基いて、多指向性アンテナの種類を自動判別することを特徴とする請求項２に記載のディジタルテレビジョン放送信号受信装置。
【発明の詳細な説明】
【技術分野】
【０００１】
本発明は、例えばＡＴＳＣなどのディジタルテレビジョン放送信号を受信するためのディジタルテレビジョン放送信号受信装置に関する。
【背景技術】
【０００２】
ＡＴＳＣディジタルテレビジョン放送（以下、ＴＶ放送と略称する）が行われている北米大陸では、平野部に大都市が点在し、各都市の近郊で放送されているＴＶ放送信号を受信するユーザ側から見ると、様々な方向からＴＶ放送信号が送信されてくるため、自分の見たい番組が放送されている放送局の方向にアンテナの向きを調整する必要がある。そこで、スマートアンテナなど多指向性アンテナが実用化されつつある。
【０００３】
なお、アンテナの受信方向を制御するシステムや装置としては、アンテナを３６０度回転させて各方向に対する希望波の受信電界レベルを予め計測し、しきい値を設定して、希望波捕捉を行うアンテナシステムが知られており（特許文献１参照）、また、アンテナの指向方向をモータ駆動装置で切り換える受信装置（特許文献２参照）、及び予め最適な受信状態におけるアンテナ方向データを記憶しておき、受信時に記憶データに基づいてアンテナの方向を設定するアンテナ制御装置（特許文献３参照）等が知られている。
【特許文献１】特開平１１−２４８８１１号公報
【特許文献２】特開平０３−２７３７０２号公報
【特許文献３】特開平０２−１０１６０９号公報
【発明の開示】
【発明が解決しようとする課題】
【０００４】
上述のように、米国のＡＴＳＣディジタルテレビジョン放送では、放送電波が全方向から来る可能性があり、そのため、ＴＶ放送受信においては、多指向性のアンテナ（スマートアンテナ）が必要とされ、ＥＩＡ−９０９規格によれば、スマートアンテナは円を１６分割した各方向に受信方向を有すると規定されている。そして、実際に市販されている多指向性アンテナの中には、アンテナをモータで回転させて受信方向を切り換えるタイプのモータ式アンテナや、複数のアンテナを有し、電子スイッチのオン／オフにより、電子的に有効なアンテナの方向を切り換えるタイプ（アンテナ自体は回転しない）の電子式アンテナなど、様々な構造のものが存在する。
【０００５】
一方、ＴＶ放送信号を受信するディジタルテレビジョン放送信号受信装置としては、ＥＩＡ−９０９規格に準拠して１６方向の全てに対して多指向性アンテナ受信方向を調整できるように設定されている。また、ディジタルＴＶ放送受信装置は、接続された多指向性アンテナの種類やスペックを直接的に知ることはできない。そのため、ディジタルＴＶ放送受信装置から多指向性アンテナに対して受信方向を切り換えるための制御信号は、最もアンテナの回転速度の遅い多指向性アンテナの受信方向切り換えに要する時間よりも長い時間において出力される。
【０００６】
また、ディジタルテレビジョン放送信号受信装置（以下、ディジタルＴＶ放送信号受信装置と略称する）には、ユーザが選択したチャンネルのＴＶ放送信号を最も状態良く受信できるアンテナの方向を選択するオートスキャン機能が備え付けられているものも存在する。一般に、到来する放送電波の方向を探索するために、全受信方向に渡ってアンテナの指向性を回転させることをスキャンと呼び、これを自動的に行うことをオートスキャンと呼んでいる。通常、放送局側のアンテナ、すなわち送信塔の位置は変化しないので、多指向性アンテナにおいては、各チャンネル毎に１６方向についてスキャンを行い、最も受信状態の良い方向をそのチャンネルの受信方向に設定すればよい。ところが、米国などでは、比較的容易に放送局が新規開業する一方、放送局が倒産することもあり得る。そのため、従来受信できなかったチャンネルが新たに受信できるようになったり、従来受信できていたチャンネルが受信できなくなったりすることがある。さらに、高層ビルの建設によってＴＶ放送信号の受信状態が変化することもあり得る。そのため、必要に応じてユーザが選択したチャンネルについて最適な受信方向を設定し直す必要がある場合もあり得る。オートスキャン機能が備えられたディジタルＴＶ放送信号受信装置に、受信方向の切り換えに要する時間が短い多指向性アンテナが接続された場合であっても、受信方向切り替えるための制御信号が出力される間隔が長ければ、選択されたチャンネルのＴＶ放送信号の最適受信方向を決定するのに要する時間が非常に長くなり、ユーザを苛立たせることになる。
【０００７】
従って、オートスキャンでは、接続されている多指向性アンテナが、受信方向の切り換えに要する時間の長いモータ式アンテナか、受信方向の切り換えに要する時間の短い電子式アンテナかを区分して、それに応じた切り換え時間を設定して、アンテナの方向切り換え時間を制御することが受信方向決定の時間短縮ために不可欠である。
【０００８】
さらに、多指向性アンテナの方向設定においては、受信方向を切り換えるために要する時間が、多指向性アンテナの構造やスペックで異なり、前述したようにアンテナをモータで回転させるモータ式アンテナの方が、電子スイッチを切り換える電子式アンテナよりも遥かに遅い。また、同じモータ式アンテナであっても、スペック又は価格に応じてモータの出力が異なるため、アンテナの回転速度又は受信方向の切り換えに要する時間も一様でない。例えば、モータ式アンテナでは、１００ミリ秒（ｍｓｅｃと略す）から２００ｍｓｅｃと長く、電子式アンテナでは、アンテナ自体が回転しないため、どの方向でも、一定で約１０ｍｓｅｃと極めて短い。アンテナの方向を選ぶときに、モータ式アンテナか、電子式アンテナが分からないと、多指向性アンテナで方向をスキャンする場合に、方向切替の時間間隔が全くちがうので、間違って、モータ式アンテナに対し、電子式アンテナの制御信号を送った場合は、制御間隔が速すぎてモータ式アンテナの応答が追いつかず、受信方向が合わずに、全く受信できない状態となる。逆に、電子式アンテナに対し、モータ式アンテナの制御信号を送った場合は、制御間隔が遅いので受信は可能であるが、受信方向の切り換えに要する時間の短い電子式アンテナにも拘わらず、制御信号が遅いため受信方向決定の時間短縮ができない問題がある。従って、接続されている多指向性アンテナが、モータ式アンテナであるか電子式アンテナであるかを、予め判別して、各多指向性アンテナの適合する制御信号で、アンテナの方向制御を行う必要がある。しかしながら、ユーザが、最初にアンテナ方向を設定する場合、室内でチャンネルの方向を設定する時は、接続されているアンテナの種類が分からない場合が多く、多指向性アンテナの種類を間違って、方向設定を行うと全く受信できない状態が発生する。このため、選択したチャンネルの受信方向を決定するのに、無駄なスキャン等の不要な時間を要して、ユーザを苛立たせることになる。従って、ユーザが多指向性アンテナの種類を分からなくても、自動的にアンテナの種類を判別し、アンテナ方向を設定してくれる多指向性アンテナが望まれているが、従来のアンテナには、このような要望を満たす多指向性アンテナはなかった。
【０００９】
本発明は、上記の問題を解決するためになされたものであり、接続された多指向性アンテナの種類を自動判別でき、アンテナの種類に対応した最適な方向切り替え時間間隔を設定できることで、正確で、迅速なチャンネルの方向スキャンを行え、受信方向の決定時間の短縮ができ、常に最適な受信状態を得ることを可能とするディジタルＴＶ信号受信装置を提供することを目的とする。
【課題を解決するための手段】
【００１０】
上記目的を達成するために請求項１の発明は、予め規格で定められている複数の受信方向を有する多指向性アンテナが接続されて、前記受信方向のうちいずれか１つの受信方向のみを有効にして、テレビジョン放送信号を受信するディジタルテレビジョン放送信号受信装置において、前記多指向性アンテナに対して、テレビジョン放送信号を受信するための受信方向を指示するための制御信号を出力する制御信号出力手段と、前記多指向性アンテナが接続され、テレビジョン放送信号の受信を行う放送信号受信手段と、前記テレビジョン放送信号受信手段により受信されたテレビジョン放送信号に対して所定の信号処理を行う放送信号処理手段と、前記放送信号処理手段により処理された信号をモニタ装置に出力する信号出力手段と、前記放送信号処理手段により処理された信号を一時的に記憶する記憶手段と、前記記憶手段に記憶された信号を用いて、受信可能な各チャンネルについての最適な受信方向を決定する受信方向決定手段と、前記記憶手段に記憶された信号を用いて、前記多指向アンテナの種類を判別するアンテナ判別手段と、前記各部を制御する制御手段とを備え、前記多指向性アンテナとして、モータで受信方向を回転させるモータ式アンテナ、または電子的スイッチにより受信方向を切替える電子式アンテナが接続され、前記制御信号出力手段は、モータ式アンテナにおいて正常に受信方向が切り替わるに必要な切替時間間隔でもって、前記多指向性アンテナの指向方向を全方向に回転動作させる第１の制御信号を出力し、次いで、電子式アンテナにおいて正常に受信方向が切替わるに必要な、上記モータ式アンテナより短い切替時間間隔でもって、前記多指向性アンテナの指向方向を全方向に回転動作させる第２の制御信号を出力し、前記放送信号処理手段は、前記第１及び第２の制御信号により多指向性アンテナを駆動した時に、それぞれ所定のチャンネルのテレビジョン放送信号の各受信方向の受信信号強度を測定し、これら２種の測定した受信信号強度を前記記憶手段に記憶させ、前記アンテナ判別手段は、前記記憶手段に記憶されている上記２種の各受信信号強度を比較し、各受信信号強度が略一致している場合は、接続されている多指向性アンテナが電子式アンテナであると自動判別し、一致していない場合は同多指向性アンテナがモータ式アンテナであると自動判別するものである。
【００１１】
請求項２の発明は、予め規格で定められている複数の受信方向を有する多指向性アンテナが接続されて、前記受信方向のうちいずれか１つの受信方向のみを有効にして、テレビジョン放送信号を受信するディジタルテレビジョン放送信号受信装置において、前記多指向性アンテナに対して、テレビジョン放送信号を受信するための受信方向を指示するための制御信号を出力する制御信号出力手段と、前記多指向性アンテナが接続され、テレビジョン放送信号の受信を行う放送信号受信手段と、前記テレビジョン放送信号受信手段により受信されたテレビジョン放送信号に対して所定の信号処理を行う放送信号処理手段とを備え、前記制御信号出力手段は、所定の時間間隔でもって前記多指向性アンテナの受信方向を切り替える制御信号を出力し、前記放送信号受信手段は、その時の受信信号強度を測定し、前記放送信号処理手段は、前記受信信号強度の変化状態に基いて、多指向性アンテナの種類を判別するものである。
【００１２】
請求項３の発明は、前記制御信号出力手段は、異なる時間間隔で前記多指向性アンテナの受信方向を切り替える複数の制御信号を出力し、前記放送信号受信手段は、前記複数の制御信号により多指向性アンテナを駆動した時に、それぞれ所定のチャンネルのテレビジョン放送信号の各受信方向の受信信号強度を測定し、前記放送信号処理手段は、上記複数の測定した受信信号強度に基いて、多指向性アンテナの種類を自動判別するものである。
【発明の効果】
【００１３】
請求項１の発明によれば、ディジタルＴＶ放送受信装置は、接続された多指向性アンテナの種類をモータ式アンテナであるか電子式アンテナであるかを正確に自動判別でき、この判別された多指向性アンテナに対応する方向制御を、最適な切り替え時間間隔で行え、迅速なチャンネルの方向スキャンを行うことができ、また、無駄なスキャン時間を省くことができることで、受信方向の決定時間の短縮ができて、常に迅速な受信と最適な受信状態を提供することができるので、受信方向の決定に、不要な時間と労力を要することがなくなり、放送チャンネル選局でユーザを苛立たせることがなくなる。
【００１４】
請求項２の発明によれば、ディジタルＴＶ放送受信装置は、接続された多指向性アンテナの種類を簡単に自動判別でき、接続された多指向性アンテナに合った最適な切り替え時間間隔で方向制御を行え、不必要なアンテナ回転等がなくなり、受信方向の決定時間の短縮ができ、常に迅速に、最適な受信状態を得ることを可能とする。
【００１５】
請求項３の発明によれば、請求項２の発明の効果に加え、複数の異なる時間間隔で多指向性アンテナの方向を切り替えるので、２つ以上の多指向性アンテナの種類を判別することができ、利用する多指向性アンテナの特性に合わせた、より細かい多指向性アンテナの方向制御が可能となる。
【発明を実施するための最良の形態】
【００１６】
以下、本発明の一実施の形態に係るディジタルＴＶ放送信号受信装置について図面を参照して説明する。図１は、ユーザが家庭においてＴＶ放送信号を受信する状況を示す。ディジタル（地上波）ＴＶ放送が行われている地域では、受信したディジタルＴＶ放送信号の強度が一定の閾値以上であれば、補正などにより一定の画質の画像が得られる。そのため、図１に示すように、Ａ地域、Ｂ地域、Ｃ地域など複数箇所の点在する放送局から送信されてくるＴＶ放送信号を受信して、ＴＶ番組を視聴することができる。このような状況に対応して、複数の受信方向を有するスマートアンテナと呼ばれる多指向性アンテナが実用化されている。
【００１７】
ディジタルＴＶ放送信号受信装置は、アナログＴＶ放送信号も受信することができ、ディジタルＴＶ放送信号と同様に、多指向性アンテナの受信方向の数を確認して、無駄のない最適な受信方向制御を行うことができる。従って、特にディジタルＴＶ放送信号とアナログＴＶ放送信号を区別する必要がないときは、単にＴＶ放送信号とする。
【００１８】
一方、ＥＩＡ−９０９規格に準拠したディジタルＴＶ放送信号受信装置は、接続される多指向性アンテナの種類や受信方向の数などにかかわらず、１６の受信方向の全てに対して切り換えが可能でなければならない。
【００１９】
本実施の形態に係るディジタル放送信号受信装置は、多指向性アンテナが接続されたときに、規格で定められている１６の受信方向のそれぞれについてＴＶ放送信号の受信を行い、受信状態を測定する。そして、各受信チャンネルの信号受信強度の最大の方向を記憶しておき、チャンネル選択時にすぐに多指向性アンテナを最適方向に向ける。
【００２０】
図２は、本実施の形態に係るディジタルＴＶ放送信号受信装置１の構成を示す。ディジタルＴＶ放送信号受信装置１は多指向性アンテナ２に接続され、ＴＶ放送信号を受信するチューナ（放送信号受信手段）１１、チューナ１１で受信したディジタルＴＶ放送信号に対して所定の信号処理を行い、復号化するＡＴＳＣフロントエンド１２、チューナ１１で受信したアナログＴＶ放送信号を復号化するＮＴＳＣデコーダ１３、ＭＰＥＧ圧縮されていたＴＶ放送信号をデコードするＭＰＥＧデコーダ１４、デコードされたＴＶ放送信号に所定の表示画像を重畳させるオンスクリーンディスプレイ部（ＯＳＤ）１５、チューナ１１により受信したＴＶ放送信号の受信状態を検知し、多指向性アンテナ２の制御ユニット２１を制御する（受信方向決定手段、及び制御信号出力手段として機能する）とともに、ＡＴＳＣフロントエンド１２やＮＴＳＣデコーダ１３などを制御する（全体の制御手段として機能する）制御部（ＣＰＵ）１６、デコードされたＴＶ放送信号を一時的に記憶し、またデコードされたＴＶ放送信号に重畳させる表示画像を記憶するメモリ（記憶手段）１７などで構成されている。ＭＰＥＧデコーダ１４によりデコードされたＴＶ放送信号は、オンスクリーンディスプレイ部１５を介してモニタ装置３に出力され、表示される。なお、ディジタルＴＶ放送では、ユーザ側のディジタルＴＶ放送信号受信装置１から放送局に向けてデータの送信が可能であるが、本発明とは直接関係がないので、その説明は省略する。
【００２１】
多指向性アンテナ２の制御ユニット２１は、制御部１６からの制御信号に応じて起動し、多指向性アンテナの検出後、多指向性アンテナ２の複数ある受信方向のうち、指示された方向のみを有効にする。多指向性アンテナ２がモータでアンテナを回転させて受信方向を切り換えるモータ式アンテナである場合、制御ユニット２１はモータの回転を制御して、アンテナを指示された方向に向ける。一方、多指向性アンテナ２が電子スイッチのオン／オフにより有効なアンテナの方向を切り換える電子式アンテナである場合、指示された方向のアンテナに接続された電子スイッチのみをオンし、その他の電子スイッチをオフする。
【００２２】
図３は、多指向性アンテナ２（スマートアンテナ）が、ＥＩＡ−９０９規格で定められた１６方向の受信方向を有する場合おけるＴＶ放送信号のアンテナの方向の違いによる受信において、多指向性アンテナ２がモータ式アンテナにおける受信方向切り換えの概念を示す。同図において、符号Ｄ０１〜Ｄ１６は、それぞれＥＩＡ−９０９規格で定められた１６の受信方向を示し、各方向における数字は、特定のチャンネルのＴＶ放送信号の信号受信強度を示す。ＴＶ放送のチャンネルの電波到来方向は、矢印で示している。この場合、例えば、方向Ｄ１１から方向Ｄ０６に受信方向を切り換えるとすると、予めＤ１１を向いていたアンテナを時計方向（又は反時計方向）に回転させてＤ０６方向を示す位置で停止させる。アンテナを常に同一方向に回転させる場合、制御が簡単になるというメリットがあるが、最大３３７．５度回転させる必要がある。一方、アンテナを双方向に回転させる場合、アンテナの回転角度が最大１８０度に低減されるものの、アンテナの回転角度を演算し、回転角度が少なくなる方向にモータを切り換える必要がある。いずれにしても、受信方向の切り替え角度に応じて、受信方向を切り替えに要する時間にばらつきが生じる。さらに、モータの出力に応じて受信方向を切り替えるのに要する時間にも幅がある。そのため受信方向を切り替えを保証するには、一般的には１００ｍｓｅｃから２００ｍｓｅｃ程度の時間が必要である。但し、ここでのアンテナの種類判別では、一方向の回転（時計方向、又は反時計方向に回転）のみのスキャンで行う。従って、モータ式アンテナでは、２００ｍｓｅｃ程度（２００ｍｓｅｃ以上でも可能）でアンテナの方向を切り替えれば、正常に受信方向が切り替わるに必要な切替時間間隔でもっているので、アンテナが全方向に順次回転され、全受信方向における受信レベル測定を確実に行え、記憶するこができる。
【００２３】
一方、多指向性アンテナが電子スイッチを用いた電子式アンテナにおける受信信号切り換えの概念を図４に示す。この場合、１６の受信方向それぞれにアンテナが設けられており、各アンテナに接続された電子スイッチのオン／オフを制御して、いずれか１つのアンテナのみを有効にする。アンテナ自体は回転しないため、受信方向の切り換え角度に関係なく、受信方向を切り換えるのに要する時間はほぼ一定であり、電子式アンテナにおいて正常に受信方向が切替わるのに必要な時間間隔は、約１０ｍｓｅｃ程度で、上記モータ式アンテナの場合より十分短い。このように、ディジタルＴＶ放送信号受信装置に接続される多指向性アンテナの種類により、受信方向の切り換えに要する時間が大きく異なる。
【００２４】
次に、ディジタルＴＶ放送信号受信装置１の制御部１６による多指向性アンテナの種類の自動判別処理について、図５に示すフローチャートを参照して説明する。
【００２５】
まず、制御部１６がチューナ１１に多指向性アンテナ２が接続されたことを検出すると、多指向性アンテナ種類の自動判別処理がスタートし、先ず、受信チャンネルが設定され（Ｓ１）、接続された多指向性アンテナ２に適する受信方向切り換え時間を、モータで回転するモータ式アンテナとして２００ｍｓｅｃに設定する（Ｓ２）。そして、制御部１６は、カウンタにｎ＝１６をセットし（Ｓ３）、第ｎ番目の方向を指定する制御信号を出力する（Ｓ４）。制御信号を多指向性アンテナ２の制御ユニット２１に出力し、多指向性アンテナ２の受信方向切り換えに要する時間Ｔ（この場合、設定された２００ｍｓｅｃ）を経過した後、すなわち、多指向性アンテナ２の受信方向が確実に第ｎ番目の方向に設定された後、チューナ１１により所定のチャンネルのＴＶ放送信号を受信する（Ｓ５）。ＴＶ放送信号を受信すると、制御部１６は、受信したＴＶ放送信号の受信信号強度を測定し、測定結果をメモリ１７に保存する（Ｓ６）。そして、カウンタを１つ減算し（Ｓ７）、１６の受信方向の全てについてディジタルＴＶ放送信号の信号強度を測定したか否かを判断する（Ｓ８）。１６の全ての受信方向についてディジタルＴＶ放送信号の信号強度を測定していない場合は（Ｓ８でＮＯ）、ステップＳ４に戻って次の受信方向についてディジタルＴＶ放送信号の受信信号強度を測定する。
【００２６】
１６の受信方向の全てについてＴＶ放送信号の受信信号強度の測定が完了すると（Ｓ８でＹＥＳ）、制御部１６は、接続された多指向性アンテナ２に適する受信方向切り換え時間Ｔを、電子式アンテナ用として１０ｍｓｅｃに設定する（Ｓ９）。そして、制御部１６は、先のモータ式アンテナの場合と同様に、カウンタにｎ＝１６をセットし（Ｓ１０）、第ｎ番目の方向を指定する制御信号を出力し（Ｓ１１）、制御信号を多指向性アンテナ２の制御ユニット２１に出力して、多指向性アンテナ２の受信方向切り換えに要する時間Ｔ（この場合、設定された１０ｍｓｅｃ）を経過した後、すなわち、多指向性アンテナ２の受信方向が確実に第ｎ番目の方向に設定された後、チューナ１１により所定のチャンネルのＴＶ放送信号を受信する（Ｓ１２）。ＴＶ放送信号を受信すると、制御部１６は、受信したＴＶ放送信号の受信信号強度を測定し、測定結果をメモリ１７に保存する（Ｓ１３）。そして、カウンタを１つ減算し（Ｓ１４）、１６の受信方向の全てについてディジタルＴＶ放送信号の信号強度を測定したか否かを判断する（Ｓ１５）。１６の全ての受信方向についてディジタルＴＶ放送信号の信号強度を測定していない場合は（Ｓ１５でＮＯ）、ステップＳ１１に戻って次の受信方向についてディジタルＴＶ放送信号の受信信号強度を測定する。１６の受信方向の全てについてＴＶ放送信号の受信信号強度の測定が完了し（Ｓ１５でＹＥＳ）、設定された受信チャンネルについて、モータ式アンテナと電子式アンテナとに対応するアンテナ方向切り換え時間を変えた場合についての、それぞれの受信信号強度の測定が完了する。
【００２７】
制御部１６は、メモリ１７に保存されている測定データを読み出し、受信方向切り換え時間が２００ｍｓｅｃの場合と１０ｍｓｅｃの場合の各同一方向での受信信号強度を比較し（Ｓ１６）、両者の受信信号強度が略一致する場合は（Ｓ１６でＹＥＳ）多指向性アンテナを電子式アンテナと判断し（Ｓ１７）、両者の受信信号強度が一致しない場合は（Ｓ１６でＮＯ）、多指向性アンテナをモータ式アンテナと判定する（Ｓ２０）。すなわち、電子式アンテナは、１０ｍｓｅｃという速いアンテナ方向の切り替え時間間隔に応答するので、２００ｍｓｅｃでは、問題なく追従でき、１６方向全て受信信号強度を測定できるが、モータ式アンテナでは、アンテナ回転の移動速度が２００ｍｓｅｃと遅く、１０ｍｓｅｃでは追従できないので、１６方向における受信信号強度の測定は不可能である。従って、二つの場合における受信信号強度が略一致する場合は、電子式アンテナを判定することができ、逆に、一致しない場合は、モータ式アンテナであると判定することができる。
【００２８】
以上述べたように、本発明によるディジタルＴＶ放送受信装置によれば、接続された多指向性アンテナの種類をモータ式アンテナであるか、電子式アンテナであるかを正確に自動判別でき、アンテナ方向制御を、受信アンテナに最適な切り換え時間間隔で行え、多指向性アンテナの種類の間違いがなくなり、正確で、迅速なチャンネルの方向スキャンを行うことができ、受信方向の決定時間の短縮ができることにより、常に迅速な受信と最適な受信状態を提供することができるので、放送チャンネル選局においてユーザを苛立たせることがなくなる。
【００２９】
なお、本発明は、上記実施形態に限られるものではなく、様々な変形が可能である。上記実施例では、モータ式アンテナの方向切換えの時間間隔を、応答の一番遅い種類のモータ式アンテナに合わせているが、例えば、モータ式アンテナを切り換え時間間隔のスペックで３分類（又は３分類以上）し、多指向性アンテナの方向切り換え時間間隔を、２段階だけでなく、スペックに応じて３段階以上に分けて各方向切換え時間間隔毎に測定、比較して、アンテナの種類を判定することで、より詳細なアンテナ種類が分かり、この詳細なアンテナのスペックに合わせて、アンテナの方向制御を行うことにより、各種多指向性アンテナの応答特性に合ったアンテナ制御ができるので、より最適なアンテナの受信を行うことができる。
【００３０】
また、多指向性アンテナのスキャンする方向を全方向ではなく、方向を指定して方向数を限定することにより、アンテナの方向回転数と受信信号強度測定数を削減し、多指向性アンテナの種類の自動判別処理時間を短くすることができる。
【図面の簡単な説明】
【００３１】
【図１】ユーザが家庭においてディジタルＴＶ放送信号を受信する状況を示す概念図。
【図２】本発明の一実施形態に係るディジタルＴＶ放送信号受信装置の構成を示す電気的ブロック図。
【図３】多指向性アンテナがモータ式アンテナの場合の受信方向切り換えの概念図。
【図４】多指向性アンテナが電子式アンテナの場合の受信方向切り換えの概念図。
【図５】上記受信装置による多指向性アンテナの種類の自動判別処理を示すフローチャート。
【符号の説明】
【００３２】
１  ディジタルＴＶ放送信号受信装置
２  多指向性アンテナ（スマートアンテナ）
１１  チューナ（放送信号受信手段）
１２  ＡＴＳＣフロントエンド
１３  ＮＴＳＣデコーダ
１４  ＭＰＥＧデコーダ
１６  制御部（制御信号出力手段、受信方向決定手段、制御手段）
１７  メモリ（記憶手段）
２１  制御ユニット
【図１】
2006081098.tif 000003
【図２】
2006081098.tif 000004
【図３】
2006081098.tif 000005
【図４】
2006081098.tif 000006
【図５】
2006081098.tif 000007